(57)【要約】予約をした設定時刻どおりに運転開始及び運転停止し、更に、運転の予約の関する利便性が高い家電機器、家電システム、及びサーバ装置を提供する。設定された時刻にて運転の開始、停止を行う予約運転が可能な家電機器であって、リモートコントローラ及び携帯端末の夫々から家電機器の予約運転における運転開始の時刻を示す設定信号を受信する受信部と、設定信号の内容を記憶する記憶部と、家電機器の動作を制御する制御部と、を具備し、制御部は、リモートコントローラからの設定信号により定まる運転時間帯と携帯端末からの設定信号により定まる運転時間帯とが少なくとも一部において重複する場合、リモートコントローラ及び携帯端末の夫々により設定された運転開始の時刻のうちの早い方の時刻を選択し、その選択した時刻において運転開始を行う。
2014024444.tif 000002
【特許請求の範囲】
【請求項１】
設定された時刻にて運転の開始、停止を行う予約運転が可能な家電機器であって、
リモートコントローラ及び携帯端末それぞれから、前記家電機器の予約運転における運転開始の時刻を示す設定信号を受信する受信部と、
前記設定信号の内容を記憶する記憶部と、
前記家電機器の動作を制御する制御部と、を具備し、
前記制御部は、前記リモートコントローラからの設定信号により定まる運転時間帯と前記携帯端末からの設定信号により定まる運転時間帯とが少なくとも一部において重複する場合、前記リモートコントローラ及び前記携帯端末それぞれにより設定された運転開始の時刻のうちの早い方の時刻を選択し、その選択した時刻において運転開始を行う、
家電機器。
【請求項２】
前記受信部は、前記リモートコントローラ及び前記携帯端末から、前記家電機器の運転停止の時刻を示す設定信号を更に受信し、
前記制御部は、前記リモートコントローラからの設定信号により定まる運転時間帯と前記携帯端末からの設定信号により定まる運転時間帯とが少なくとも一部において重複する場合、前記リモートコントローラ及び前記携帯端末それぞれにより設定された運転停止の時刻のうちの早い方の時刻を選択し、その選択した時刻において運転停止を行う、
請求項１に記載の家電機器。
【請求項３】
請求項１又は２に記載の家電機器に対して予約運転を行う携帯端末であって、
前記家電機器においてすでに予約運転が設定済みであることを示す情報、及び／又は前記予約運転が正常になされていないことを示す情報を表示する表示部を備えた、
携帯端末。
【請求項４】
請求項１乃至３のいずれかに記載の家電機器と、
前記予約運転のための運転開始の時刻及び／又は運転停止の時刻を設定するための設定情報を入力する前記携帯端末と、
前記携帯端末から設定情報を受けて前記設定信号を前記家電機器に送信するサーバ装置と、を含む、
家電システム。
【請求項５】
携帯端末からネットワークを介して家電機器の予約運転を可能にするサーバ装置であって、
前記ネットワークを介して前記携帯端末と前記家電機器との通信を行う通信部と、
前記通信部を介して、前記携帯端末から、前記家電機器の予約運転における運転開始時刻又は運転停止時刻を示す情報を受け、前記運転開始時刻又は前記運転停止時刻を示す設定信号を前記家電機器に送信する制御部と、を具備し、
前記制御部は、前記設定信号を最初に送信後、前記設定信号が示す運転開始時刻または運転停止時刻の所定時間前に、前記家電機器に対して、所定時間後に運転の開始または停止を指示する信号を送信する、
サーバ装置。
【請求項６】
前記通信部は、前記設定信号を前記家電機器に最初に送信後、前記家電機器により前記設定信号が正しく受け付けられるまで、前記家電機器に前記設定信号を繰り返し送信する、
請求項５に記載のサーバ装置。
【請求項７】
前記通信部は、前記設定信号を前記家電機器に最初に送信後、前記家電機器へ前記設定信号に基づく予約運転の設定が正しく行われているか否かの問合わせを行い、前記予約運転の設定が正しく行われていない場合、前記携帯端末へその旨を通知する、
請求項６に記載のサーバ装置。
【請求項８】
設定された時刻にて運転の開始、停止を行う予約運転が可能な家電機器であって、
ネットワークを介して接続された所定のサーバ装置から、前記家電機器の予約運転における運転開始の時刻又は運転停止の時刻を示す設定信号を受信する受信部と、
前記家電機器の動作を制御する制御部と、
データが記憶される記憶部と、を具備し、
前記制御部は、前記設定信号を最初に受信した後、前記設定信号が示す運転開始または運転停止の時刻の所定時間前に、前記所定時間後に運転を開始または停止することを指示する設定信号を受信し、その設定信号の内容を前記記憶部に格納し、前記記憶部に格納された設定信号の内容に従い前記予約運転を実行する、
家電機器。
【請求項９】
前記制御部は、
前記サーバ装置から、前記設定信号を最初に受信した後、前記設定信号を正しく受け付けるまで、所定時間間隔で送信される前記設定信号を繰り返し受信し、
前記設定信号を正しく受け付けたときに、正しく受け付けた設定信号に基づき前記記憶部に格納した内容を更新する、
請求項８に記載の家電機器。
【請求項１０】
前記制御部は、
前記サーバ装置から前記設定信号を受信したときに、表示部を点灯させる、
請求項８又は９に記載の家電機器。
【請求項１１】
請求項５乃至７のいずれかに記載のサーバ装置と、
請求項８乃至１０のいずれかに記載の家電機器と、を含む、
家電システム。
【発明の詳細な説明】
【技術分野】
【０００１】
本開示は、家電機器、家電システム及びサーバ装置に関する。
【背景技術】
【０００２】
従来、家電機器のための遠隔制御システムが様々に開発されている。特許文献１に記載される遠隔制御システムは、メニュー画面に入力された時刻になると、メニュー画面に入力された機器に運転開始もしくは停止信号を送信する。更に、特許文献１の遠隔制御システムは、機器が動作中であることをインターネット接続可能な端末に知らせる信号を送信する。
【先行技術文献】
【特許文献】
【０００３】
【特許文献１】特許４４６５９２４号公報
【発明の概要】
【発明が解決しようとする課題】
【０００４】
本開示は、作動の予約に関する利便性が高く、更に、予約をした設定時刻どおりに運転開始及び運転停止し得る家電機器、家電システム、及びサーバ装置を提供することを目的とする。
【課題を解決するための手段】
【０００５】
上記課題を解決するために、本発明の一の態様において、家電機器は、設定された時刻にて運転の開始、停止を行う予約運転が可能な家電機器であって、リモートコントローラ及び携帯端末それぞれから、前記家電機器の予約運転における運転開始の時刻を示す設定信号を受信する受信部と、前記設定信号の内容を記憶する記憶部と、前記家電機器の動作を制御する制御部と、を具備し、前記制御部は、前記リモートコントローラからの設定信号により定まる運転時間帯と前記携帯端末からの設定信号により定まる運転時間帯とが少なくとも一部において重複する場合、前記リモートコントローラ及び前記携帯端末それぞれにより設定された運転開始の時刻のうちの早い方の時刻を選択し、その選択した時刻において運転開始を行う。【０００６】
更に、本発明の一の態様において、サーバ装置は、携帯端末からネットワークを介して家電機器の予約運転を可能にするサーバ装置であって、前記ネットワークを介して前記携帯端末と前記家電機器との通信を行う通信部と、前記通信部を介して、前記携帯端末から、前記家電機器の予約運転における運転開始時刻又は運転停止時刻を示す情報を受け、前記運転開始時刻又は前記運転停止時刻を示す設定信号を前記家電機器に送信する制御部と、を具備し、前記制御部は、前記設定信号を最初に送信後、前記設定信号が示す運転開始時刻または運転停止時刻の所定時間前に、前記家電機器に対して、所定時間後に運転の開始または停止を指示する信号を送信する。【０００７】
更に、本発明の一の態様において、家電機器は、設定された時刻にて運転の開始、停止を行う予約運転が可能な家電機器であって、ネットワークを介して接続された所定のサーバ装置から、前記家電機器の予約運転における運転開始の時刻又は運転停止の時刻を示す設定信号を受信する受信部と、前記家電機器の動作を制御する制御部と、データが記憶される記憶部と、を具備し、前記制御部は、前記設定信号を最初に受信した後、前記設定信号が示す運転開始または運転停止の時刻の所定時間前に、前記所定時間後に運転を開始または停止することを指示する設定信号を受信し、その設定信号の内容を前記記憶部に格納し、前記記憶部に格納された設定信号の内容に従い前記予約運転を実行する、
家電機器。
【発明の効果】
【０００８】
前記の態様によれば、予約をした設定時刻どおりに運転開始及び運転停止し、更に、運転の予約の関する利便性が高い家電機器、家電システム、及びサーバ装置を提供できる。
【図面の簡単な説明】
【０００９】
【図１】実施の形態１に係る家電システムを示す図。
【図２】実施の形態１に係る空気調和機の構成を示す図。
【図３】実施の形態１に係る家電システムにおいて、携帯端末におけるコントロール設定を示す図。
【図４】実施の形態１に係る家電システムにおいて、携帯端末におけるコントロール設定を示す図。
【図５】実施の形態１に係る家電システムにおいて、携帯端末におけるコントロール設定を示す図。
【図６】実施の形態１に係る家電システムにおいて、携帯端末におけるコントロール設定を示す図。
【図７】実施の形態１に係る家電システムにおいて、携帯端末におけるコントロール設定を示す図。
【図８】実施の形態１に係る家電システムにおいて、携帯端末におけるコントロール設定を示す図。
【図９】実施の形態１に係る家電システムにおいて、携帯端末におけるコントロール設定を示す図。
【図１０】実施の形態１に係る家電システムにおいて、携帯端末におけるコントロール設定を示す図。
【図１１】実施の形態１に係る家電システムにおいて、携帯端末におけるカレンダ予約設定を示す図。
【図１２】実施の形態１に係る家電システムにおいて、携帯端末におけるカレンダ予約設定を示す図。
【図１３】実施の形態１に係る家電システムにおいて、携帯端末におけるカレンダ予約設定を示す図。
【図１４】実施の形態１に係る家電システムにおいて、携帯端末におけるカレンダ予約設定を示す図。
【図１５】実施の形態１に係る家電システムにおいて、携帯端末におけるカレンダ予約設定を示す図。
【図１６】実施の形態１に係る家電システムにおけるカレンダ予約設定の判定フローを示す図。
【図１７】実施の形態１に係る家電システムにおけるカレンダ予約設定がされた場合のタイミングチャート図。
【図１８】実施の形態２に係るサーバ装置の構成を示す図。
【図１９】実施の形態２に係る家電システムにおけるカレンダ予約後の動作フローを示す図。
【図２０】実施の形態２に係る家電システムにおけるカレンダ予約後の動作を示すタイミングチャート図。
【図２１】実施の形態３に係る家電システムにおけるカレンダ予約後の動作を示すタイミングチャート図。
【発明を実施するための形態】
【００１０】
以下、図面を参照して、本発明に係る好適な実施の形態を説明する。
【００１１】
［実施の形態１］
従来技術に係る家電機器のための遠隔制御システムは、重複予約をいかに処理するかについて解決策を提示するものではない。例えば、特許文献１に係る遠隔制御システムは、家電機器に付属するリモートコントローラと、インターネットに接続可能な携帯端末との、いずれからも重複して予約がされた場合については何ら触れていない。
【００１２】
実施の形態１に係る家電機器及び家電システムは、家電機器に付属するリモートコントローラとインターネットに接続可能な携帯端末とのいずれからも重複して予約データが入力された場合に、適切に動作するものである。すなわち、実施の形態１では、このような場合にユーザの観点からの利便性を優先する家電機器、及び家電システムを提供する。
【００１３】
以下、図１〜図１７を用いて、実施の形態１に係る家電機器及び家電システムを説明する。以下では家電機器として空気調和機を備える家電システムを例に挙げて説明する。なお、本開示の家電機器は、空気調和機に限られず、例えば、冷蔵庫、炊飯器、洗濯機等のその他の家電機器にも、本実施の形態は適用可能である。
【００１４】
＜１−１．構成＞
１−１−１．家電システムの全体構成
図１を用いて、実施の形態１に係る家電システムの構成について説明する。図１に示すように、実施の形態１に係る家電システム１０は、携帯端末１６等によって、複数の家電機器を制御するシステムである。本実施の形態では、複数の家電機器として、３つの空気調和機１２−１〜１２−３、及び炊飯器１３が含まれている。
【００１５】
実施の形態１に係る家電システム１０は、空気調和機１２−１〜１２−３、炊飯器１３、無線アダプタ（通信装置）１４、携帯端末１６、ゲートウェイ装置（中継装置）１８、ルータ装置２６、インターネット２０、及びサーバ装置２２を備える。
【００１６】
図１に示す実施の形態１では、空気調和機１２−１〜１２−３は、ユーザの住居２４内に３台配置されている。３台の空気調和機１２−１〜１２−３は、例えば、住居２４内の異なる部屋に配置される。炊飯器１３は、同様に住居２４内に配置されている。
【００１７】
無線アダプタ（通信装置）１４は、空気調和機１２−１〜１２−３の夫々の制御部に電気的に接続するように配置され、ゲートウェイ装置１８と通信を行う。無線アダプタ１４は、ゲートウェイ装置１８から送信される空気調和機１２−１〜１２−３を操作するための操作信号を受信し、受信した操作信号を空気調和機１２の制御部に出力する。この操作信号に基づいて、空気調和機１２−１〜１２−３は、対応する動作を実行する。
無線アダプタ１４は、また、空気調和機１２−１〜１２−３の識別情報（例えば、製造番号や型番等）を空気調和機１２−１〜１２−３の制御部から取得し、ゲートウェイ装置１８に送信する。なお、無線アダプタ１４は、空気調和機１２−１〜１２−３に一体に設けられるものであってもよい。また無線アダプタ１４は、複数の空気調和機１２−１〜１２−３のいずれにも接続できるように空気調和機１２−１〜１２−３に対して着脱可能に設けられるものであってもよい。本実施の形態１に係る炊飯器１３は、例えば、炊飯器１３本体に内蔵される一体型の無線アダプタ（図示せず）により、ゲートウェイ装置１８と通信する。空気調和機１２−１〜１２−３の夫々の制御部については後で説明する。
【００１８】
無線アダプタ１４は、夫々「接続」ボタン１４ａを備える。「接続」ボタン１４ａは、個々の無線アダプタ１４をゲートウェイ装置１８と新たに接続するためのものである。「接続」ボタン１４ａがユーザによって操作されると、当該「接続」ボタン１４ａの備わる無線アダプタ１４は、空気調和機１２−１〜１２−３の制御部から空気調和機１２−１〜１２−３の識別情報を取得する。ここで識別情報とは、例えば、製造番号や型番である。無線アダプタ１４は、取得した識別情報をゲートウェイ装置１８に送信する。
【００１９】
携帯端末１６は、例えば、スマートフォン、タブレットＰＣ（パーソナルコンピュータ）等の汎用の携帯型端末である。携帯端末１６は、インターネット２０に接続する接続手段と、ルータ装置２６と通信する通信手段とを備える。また、携帯端末１６（例えば、スマートフォン）は、電話回線網（例えば、３Ｇ回線網）を介して、インターネット２０に接続できる。
【００２０】
携帯端末１６は、また、例えば、Ｗｉ−Ｆｉ通信、Ｂｌｕｅｔｏｏｔｈ（登録商標）通信、若しくは赤外線通信などにより、ルータ装置２６や家電機器に対して接続できる。この場合、携帯端末１６にはそのためのデバイス（例えば、Ｗｉ−Ｆｉアンテナ等）が組み込まれている。
【００２１】
ルータ装置２６は、例えば、Ｗｉ−Ｆｉ通信等により、携帯端末１６と通信可能である。ルータ装置２６は、ゲートウェイ装置（中継装置）１８を介して、携帯端末１６から受信したコマンド等の無線信号を発信し、無線アダプタ１４がこれを受信することにより、空気調和機１２−１〜１２−３や炊飯器１３と通信可能である。なお、図１に示す例では、炊飯器１３には無線アダプタが内蔵されている。このように、携帯端末１６は、住居２４内で、空気調和機１２−１〜１２−３等の家電機器と直接的に通信できる。
【００２２】
ゲートウェイ装置（中継装置）１８は、前述のように、無線アダプタ１４とルータ装置２６と間の通信を中継する。ゲートウェイ装置１８はユーザの住居２４内に設置される。ゲートウェイ装置１８は、無線アダプタ１４と、例えば、特定小電力無線特別小型周波数帯（９２４．０〜９２８．０ＭＨｚ）の信号を用いて通信する。ゲートウェイ装置１８と無線アダプタ１４間の通信の周波数帯は、遠距離まで届く低周波数帯であることが好ましい。  
【００２３】
インターネット２０には、携帯端末１６やサーバ装置２２が接続可能である。インターネット２０に接続することにより、携帯端末１６は、例えば、空気調和機１２−１〜１２−３を操作するためのアプリケーションプログラムを、インターネット２０を介してサーバ装置２２から取得することができる。ここで、このサーバ装置２２は、空気調和機１２−１〜１２−３の製造メーカにより設置されるものであり、例えば、当該製造メーカのホームページを構築する。よって、携帯端末１６の操作者は、前述のアプリケーションプログラムを当該製造メーカのホームページを操作して携帯端末１６内に取得する。
【００２４】
前述のように取得したアプリケーションプログラムを携帯端末１８にインストールし、インストールしたプログラムを起動することにより、携帯端末１８は、空気調和機１２−１〜１２−３を操作することが可能になる。即ち、携帯端末１６のタッチパネル１６ａの操作画面を操作することにより、空気調和機１２−１〜１２−３を操作するための操作信号を生成して、送信することが可能になる。携帯端末１６のタッチパネル１６ａの操作、操作信号の生成、及び操作信号の送信については、後で詳しく説明する。
【００２５】
サーバ装置２２は、携帯端末１６、空気調和機１２−１〜１２−３、無線アダプタ１４、及びゲートウェイ装置１８に関して、アクセスや認証に必要な情報等を管理する。例えばサーバ装置２２は、携帯端末１６からの通信要求信号に含まれる携帯端末１６自身の識別情報と、ゲートウェイ装置１８に記憶（登録）されている携帯端末の識別情報とが一致するか否かを認証（判別）する。そして、これらが一致する場合には、サーバ装置２２は通信要求する（アクセスしようとする）携帯端末１６を、正規の携帯端末として認証して住居２４内の家電機器との通信を許可する。
【００２６】
このように、携帯端末１６は、住居２４外で、インターネット２０を経由してサーバ装置２２にアクセスする。そして、サーバ装置２２からの認証を受けることで、携帯端末１６は、ルータ装置２６及びゲートウェイ装置１８を介して、空気調和機１２−１〜１２−３等の家電機器と間接的に通信することが可能である。なお、携帯端末１６は、住居２４内にて、ルータ装置２６及びゲートウェイ装置１８を介して、空気調和機１２−１〜１２−３等の家電機器と直接的に通信することも可能である。このとき、携帯端末１６は、インターネット２０からサーバ装置２２にアクセスすることは無い。
【００２７】
１−１−２．空気調和機の構成
次に、図２を用いて、実施の形態１に係る空気調和機の構成を説明する。ここでは、図１における空気調和機１２−１を例に取り挙げる。なお、図２において、冷凍サイクルに関する構成は省略されている。
【００２８】
図２に示すように、実施の形態１に係る空気調和機１２−１は、室内機３０、及び室外機４０により構成される。例えば、室内機３０は住居２４の屋内に配置され、室外機４０は住居２４の外に配置される。
【００２９】
室内機３０は、インターフェイス３２、コントローラ３３ａ、及びリモコン受信部３４、記憶部３５、及びタイマ３６を備える。室内機３０は、例えば、住居２４内の商用電源である交流電源３１から電力の供給を受ける。
【００３０】
インターフェイス（Ｉ／Ｆ）３２は、無線アダプタ１４と空気調和機１２−１（コントローラ３３ａ）との間のデータ等のやり取りを行う。
【００３１】
コントローラ（制御部）３３ａは、室内機３０の全体の動作を制御する。コントローラ３３ａは、受信部であるインターフェイス３２及びリモコン受信部３４から所定の運転予約動作の指示を受信する。所定の運転予約動作の指示を受信すると、コントローラ３３ｂは、運転予約動作を実行するように室内機３０を制御し、更に室外機４０のコントローラ３３ｂに指示信号Ｓ３３を送信する。運転予約動作の詳細については後で説明する。
【００３２】
リモコン受信部３４は、この空気調和機１２−１の本体リモコンからのリモコン操作信号を受信し、コントローラ３３ａに送信する。本体リモコンからのリモコン操作信号を受信したコントローラ３３ａは、当該操作信号に応じて、携帯端末１６からの指示と同様に、空気調和機１２−１の動作を制御する。
【００３３】
記憶部３５は、予約運転についての確定した内容（運転開始時刻、運転停止時刻など）を記憶する。記憶部３５における記憶データ等については後で説明する。
【００３４】
タイマ３６は、現在の時刻をコントローラ３３ａに通知する。また、タイマ３６は、運転予約が設定されたときにもゼロに設定され時間経過とともにカウントダウン若しくはカウントアップされる時刻をコントローラ３３ａに通知する。
【００３５】
室外機４０は、コントローラ３３ｂ、ファン駆動回路４１、コンプレッサ駆動回路４２、ファン４３、及びコンプレッサ４４を備える。室外機４０は、室内機３０から電力供給を受ける。
【００３６】
ファン駆動回路４１は、コントローラ３３ｂからの制御信号Ｃ４１を受け、ファン４３の回転数等の駆動を制御する。
【００３７】
コンプレッサ（圧縮機）駆動回路４２は、コントローラ３３ｂからの制御信号Ｃ４２を受け、コンプレッサ（圧縮機）４４の駆動を制御する。
【００３８】
ファン４３は、ファン駆動回路４１の制御に従い動作して、屋外熱交換機（図示せず）中の冷媒の放熱をするための、又は吸熱をするための、気流を発生する。
【００３９】
コンプレッサ（圧縮機）４４は、コンプレッサ駆動回路４２の制御に従い、空気調和機１２−１内を循環する冷媒（図示せず）を圧縮する。
【００４０】
＜１−２．携帯端末によるコントロール設定＞
次に、実施の形態１に係る空気調和機に対する、携帯端末によるコントロール設定について説明する。以下では、空気調和機１２−１〜１２−３の設定温度等について、携帯端末１６のタッチパネル１６ａを用いて、付属のリモートコントローラと同様のコントロールを行う場合の設定（リモコンモード）を説明する。なお、ここでの携帯端末１６は、タッチパネル１６ａを備えたスマートフォン等であって、既に空気調和機１２−１〜１２−３に対する操作プログラムがサーバ装置２２からインストールされて起動された状態であるとする。
【００４１】
まず、携帯端末１６において、空気調和機１２−１（型番：ＣＳ−Ｘ００ＸＸ）の操作プログラムが起動されると、図３に示すような、種々の選択項目を含む画面が、携帯端末１６の表示部１６ａに表示される。
【００４２】
ここで、ユーザにより、「リモコン」の項目が選択されると、図４に示すように、表示部１６ａに「リモコン」に関する選択ボタンが表示される。具体的には、「サーバ」、「ダイレクト」、「冷房」、「暖房」、「除湿」、「自動」、「停止」等の選択ボタンが表示される。「サーバ」が選択されると、携帯端末１６はサーバ装置２２を介する通信経路にて空気調和機１２−１〜１２−３と通信できる。「ダイレクト」が選択されると、携帯端末１６はサーバ装置２２を介さずに、ルータ２６を介する通信経路にて空気調和機１２−１〜１２−３と通信できる。「冷房」、「暖房」、「除湿」、「自動」が選択されると、夫々選択された運転モードにて空気調和機１２−１〜１２−３が運転される。「停止」が選択されると、運転中の空気調和機１２−１〜１２−３の動作が停止される。
【００４３】
（Ａ−１）ここで、ユーザにより、図４中の破線内の「設定温度」項目が選択されると、図５に示すように、表示部（タッチパネル）１６ａに「温度設定」に関する選択ボタンが表示される。図５では、「設定温度（本例では、２８℃）」が表示されている。ここで、「ＯＫ」が選択されることで選択した設定温度が確定し、「キャンセル」が選択されることで選択した設定温度がキャンセルされる。
【００４４】
（Ａ−２）同様に、ユーザにより、図４中の破線内の「設定風量」項目が選択されると、図６に示すように、表示部（タッチパネル）１６ａに「設定風量」に関する選択ボタンが表示される。具体的には、「自動」、「静音」、「風量」が表示され、「ＯＫ」が選択されることで選択した設定風量が確定し、「キャンセル」が選択されることで選択した設定風量がキャンセルされる。
【００４５】
（Ａ−３）同様に、ユーザにより、図４中の破線内の「設定風向」項目が選択されると、図７に示すように、表示部（タッチパネル）１６ａに「設定風向」に関する選択ボタンが表示される。具体的には、「自動」、及び種々の「風向」が表示され、「ＯＫ」が選択されることで選択した設定風向が確定し、「キャンセル」が選択されることで選択した設定風向がキャンセルされる。
【００４６】
（Ｂ−１）また、ユーザにより、図４中で示す「設定を送信する」項目が選択されると、図８に示すように、前記図５〜図７により説明した設定内容について、表示部１６ａに「設定確認」に関する内容が表示される。具体的には、「運転モード（本例では、冷房）」、「温度（本例では、２８℃）」、「風量（本例では、自動）」、「風向（本例では、上向き）」が表示される。
【００４７】
（Ｂ−２）続いて、図８中の「ＯＫ」が選択されると、図８で示した設定内容が空気調和機１２−１に送信される。このとき、図８で示した設定内容が空気調和機１２−１に送信中であることを示すため、図９のように、表示部（タッチパネル）１６ａに「設定を送信中」のメッセージが表示される。
【００４８】
（Ｂ−３）その後、送信が完了すると、図１０に示すような画面が表示される。この画面上で、「状況を確認」が選択されると、送信した設定内容が、表示部（タッチパネル）１６ａに表示される。「閉じる」が選択されると、表示部（タッチパネル）１６ａの表示が閉じられ、携帯端末１６の表示部（タッチパネル）１６ａの初期状態に戻る。
【００４９】
＜１−３．カレンダ予約動作＞
次に、実施の形態１に係る空気調和機１２−１におけるカレンダ予約動作について説明する。
１−３−１．カレンダ予約動作の設定
図１１〜図１５を用いて、実施の形態１に係る空気調和機におけるカレンダ予約動作の設定について説明する。以下では、携帯端末１６のタッチパネル１６ａを介する設定を例として取り挙げる。なお、ここでの携帯端末１６は、タッチパネル１６ａを備えたスマートフォン等であって、既に空気調和機１２−１に対する操作プログラムがサーバ装置２２からインストールされて起動された状態であるものとする。
【００５０】
まず、携帯端末１６において、空気調和機１２−１（型番：ＣＳ−Ｘ００ＸＸ）の操作プログラムが起動されると、同様に図１１に示すような、種々の選択項目を含む画面が携帯端末１６の表示部（タッチパネル）１６ａに表示される。
【００５１】
ここで、ユーザにより、「便利機能」の項目が選択されると、図１２に示すように、表示部（タッチパネル）１６ａに「便利機能」に関する選択ボタンが表示される。具体的には、「消費電力ピークカット」、「お部屋キープ運転」、「カレンダ予約」等の選択ボタンが表示される。
【００５２】
そして、ユーザにより、「カレンダ予約」の選択ボタンが選択されると、図１３に示すように、「カレンダ予約」に関する設定項目として、現在の年月（本例では、２０１３年６月）のカレンダが表示部（タッチパネル）１６ａに表示される。ここで、図中の「・」で示す表示１６ａ−１（本例では、６月２８日、３０日、７月１日に表示されている）は、すでに運転予約が設定済みであることを示している。また、図中の「！」で示す表示１６ａ−２（本例では、６月１日に表示されている）は、タイマの運転の予約が正常になされていないことを示している。このような表示部（タッチパネル）１６ａのカレンダ上の表示記号１６ａ−１、１６ａ−２により、ユーザは、運転予約が正常に完了したか否かを、一見して把握することができる。なお、本例のような表示１６ａ−１、１６ａ−２を表示するか否かついては、コントローラ３３ａが判断してもよいし、インターネット２０を介して接続するサーバ装置２２が判断してもよい。
【００５３】
そして、表示されたカレンダ上の日付（本例では、６月１４日）が選択されると、図１４に示す画面が表示され、この画面上でユーザは、予約の新規登録のための設定項目として、「入タイマ」、「切タイマ」を選択することができる。ユーザは、表示された設定項目において、「入」若しくは「切」だけを選択することも可能である。また、選択したタイマ設定について、更に「今回のみ」とすることと「毎週」とすることのうちのいずれかを、選択することも可能である。
【００５４】
「入タイマ」又は「切タイマ」についての「未設定」が選択されると、図１５に示すように、「入タイマ」又は「切タイマ」の予約設定についての、詳細な時刻を選択（設定）するための画面が表示される。例えば、「切タイマ」について、表示メニューから、日付、時、分が選択（設定）されることにより、「６月１４日（木）１１：００」に、空気調和機１２−１の運転を停止することを予約することができる。そして、ボタン「ＯＫ」が選択されることにより、予約された内容での空気調和機１２−１の「入タイマ」又は「切タイマ」についての設定が完了する。一方、ボタン「キャンセル」が選択されることにより、予約された内容をキャンセルすることも可能である。
【００５５】
１−３−２．カレンダ予約判定フロー
次に、図１６を用いて、実施の形態１に係る家電機器におけるカレンダ予約運転の判定フローについて説明する。本実施の形態では、空気調和機１２−１に対して、付属のリモートコントローラ及び携帯端末１６のいずれからも前記「１−３−１」にて説明した予約動作が設定可能である。
【００５６】
まず、コントローラ３３ａは、付属のリモートコントローラ及び携帯端末１６のいずれからも、前記「１−３−１」で説明したカレンダ予約動作の設定が行われたか否かを判定する（ステップＳ１１）。具体的には、コントローラ３３ａは、記憶部３５に格納された予約内容のデータを読み出すことにより、付属のリモートコントローラ及び携帯端末１６のいずれからも、夫々予約動作（運転）の設定が行われたか否かを判定する。付属のリモートコントローラ及び携帯端末１６のいずれからも夫々予約運転の設定が行われた場合では無い場合には（ステップＳ１１でＮｏ）、この判定フローを終了する。
【００５７】
続いて、コントローラ３３ａは、付属のリモートコントローラ及び携帯端末１６のいずれからも予約動作（運転）の設定が行われている場合（ステップＳ１１でＹｅｓ）、二つの予約において、運転時間が重複するか否かを判定する（ステップＳ１２）。具体的には、コントローラ３３ａは、記憶部３５に格納される二つの予約内容を参照して、重複する運転時間があるか否かを判定する。
【００５８】
重複する運転時間がある場合（ステップＳ１２でＹｅｓ）、コントローラ３３ａ、３３ｂは、重複する二つの運転予約のうち、早い開始時刻の方を優先して選択して、その時刻において空気調和機１２−１の運転開始を行うように制御する（ステップＳ１３）。具体的には、コントローラ３３ａは、記憶部３５に格納される重複する二つの運転予約の時刻データを参照することにより、早い開始時刻の方を優先して選択し、その時刻において運転開始を行うように指示信号Ｓ３３をコントローラ３３ｂに送信する。指示を受けたコントローラ３３ｂは、早い開始時刻において運転開始を行うように、室外機４０の運転を開始する制御を行う。
【００５９】
一方、重複する運転時間がない場合（ステップＳ１２でＮｏ）、コントローラ３３ａ、３３ｂは、予約された時刻において運転開始を行うように制御する（ステップＳ１４）。
【００６０】
ステップＳ１３に続いて、コントローラ３３ａ、３３ｂは、重複する予約における二つの停止時刻のうち、早い停止時刻の方を優先して選択し、その停止時刻において空気調和機１２−１の運転停止を行うように制御する（Ｓ１５）。具体的には、コントローラ３３ａは、記憶部３５に格納される重複する二つの運転予約の時刻データを参照することにより、早い停止時刻の方を優先して選択し、その時刻において運転停止を行うように指示信号Ｓ３３を送信する。指示を受けたコントローラ３３ｂは、早い停止時刻において停止開始を行うように、室外機４０の運転を停止する制御を行う。
【００６１】
一方、ステップＳ１４に続いて、コントローラ３３ａ、３３ｂは、予約された時刻において運転停止を行うように制御する（ステップＳ１６）。以上で判定フローを終了する。
【００６２】
＜１−４．作用効果＞
実施の形態１に係る家電機器及び家電システムによれば、下記の（１）の効果が得られる。
【００６３】
（１）より快適な温度の空間を提供でき、利便性を向上できる。  
前述のように、実施の形態１に係る家電機器及び家電システムでは、空気調和機に付属するリモートコントローラ及び携帯端末１６のいずれからも予約運転が設定され、且つ、重複する運転時間がある場合、コントローラ３３ａ、３３ｂは、二つの予約において早い方の開始時刻を優先して選択し、その開始時刻にて運転開始を行う（ステップＳ１３）。これは、空気調和機の運転時間帯が重複する場合、運転開始に関しては、早い開始時刻の方が、ユーザの意思を最も反映しているという観点に基づくものである。
【００６４】
図１７で示すように（リモコン：開始ｔ１、停止ｔ４、携帯端末：開始ｔ２、停止ｔ３）、付属のリモートコントローラ及び携帯端末１６のいずれからも運転予約が設定され、且つ二つの予約にて運転時間が一部重複している場合を想定する。二つの開始時間（リモコン：時刻ｔ１、携帯端末：時刻ｔ２）のうち、コントローラ３３ａは、早い方の開始時刻（ｔ１）を優先して選択し、その選択した開始時刻（ｔ１）において運転開始を行う。よって、図１７に示す例の場合、より早い時刻ｔ１において、予約された運転モードで運転が開始される。
【００６５】
さらに、コントローラ３３ａは、重複する運転時間がある場合、二つの停止時刻のうち、早い停止時刻の方を優先して選択し、その停止時刻において運転停止を行う（ステップＳ１５）。これは、空気調和機の運転時間帯が重複する場合、運転停止に関しては、早い停止時刻の方が、ユーザの意思を最も反映しているという観点に基づくものである。
【００６６】
例えば、遅い方の停止時刻が、早い方の停止時刻よりも極端に遅く設定されている場合が想定され得る。このような場合、この遅い方の停止時刻が、ユーザの過誤により設定されていることが明らかであることが多い。このとき、仮に遅い方の停止時刻を優先すると、その遅い方の停止時刻まで運転が継続され、結局、無駄な運転により無駄な電力を消費することになる。従って、ユーザの過誤設定による無駄な運転を極力抑えるという観点からは、前述のように早い停止時刻の方を優先することが、ユーザの視点をより重視していることとなる。
【００６７】
図１７で示すように、二つの予約の運転時間が一部重複し、運転停止の予約時刻が二つ（携帯端末：時刻ｔ３、リモコン：時刻ｔ４）ある場合、コントローラ３３ａは、二つの停止時刻のうち早い停止時刻（ｔ３）を優先して選択する。そして、その選択した停止時刻（ｔ３）にて運転停止を行う（ステップＳ１５）。よって、図１７に示す空気調和機では、より早い時刻ｔ３にて、予約された運転モードが停止する。
【００６８】
このように前述の構成及び動作によれば、携帯端末１６及び付属のリモートコントローラのいずれからも運転予約が有り、且つ運転時間が一部重複する場合には、ユーザの観点から有効と見なされ得る運転開始及び運転停止の時刻が優先される。このことにより、より家電機器の利便性が向上し得る。更に、ユーザの視点をより重視していることから、顧客満足度がより向上し得る。
【００６９】
［実施の形態２］
従来の（例えば、特許文献１に記載の）遠隔制御システムは、メニュー画面に事前に入力された時刻になると、メニュー画面に事前に名称コード等が入力された機器に対して運転開始信号若しくは運転停止信号を送信する。しかしながら、従来の遠隔制御システムでは、信号が送信されるべき運転開始時刻又は運転停止時刻にて、サーバ装置が混雑している場合、予約された時刻に運転信号又は停止信号が送信できないことがある。そうすると、予約された時刻に機器が正常に動作又は停止しないおそれがある。
【００７０】
前記の課題に鑑みて、本発明に係る実施の形態２は、サーバ装置が混雑している場合であっても、ユーザが予約をした設定時刻どおりに正確に運転開始及び運転停止できる家電機器、家電システム、及びサーバ装置を提供する。
【００７１】
以下、図１８〜図２０を用いて、実施の形態２に係る家電機器、家電システム及びサーバ装置を説明する。以下では家電機器として少なくとも空気調和機を備える家電システムを例に取り挙げて説明する。なお、実施の形態２に係る家電システムは、空気調和機を備えるものに限られず、例えば、冷蔵庫、炊飯器、洗濯機等のその他の家電機器を備えるものであってもよい。
【００７２】
＜２−１．構成＞
２−１−１．家電システムの全体構成
実施の形態２に係る家電システムの構成は、図１に示す実施の形態１に係る家電システムと略同様である。すなわち、図１に示されるように、実施の形態２に係る家電システム１０も、携帯端末１６等によって、複数の家電機器を制御するシステムである。実施の形態２についても、複数の家電機器として３つの空気調和装置１２−１〜１２−３、及び炊飯器１３を例に取り挙げて説明する。
【００７３】
実施の形態２に係る家電システム１０も、実施の形態１と同様に、空気調和機１２−１〜１２−３、炊飯器１３、無線アダプタ（通信装置）１４、携帯端末１６、ゲートウェイ装置（中継装置）１８、ルータ装置２６、インターネット２０、及びサーバ装置２２を備える。
【００７４】
２−１−２．空気調和機の構成
実施の形態２に係る空気調和機の構成は、図２に示す実施の形態１に係る空気調和機の構成と略同様である。
【００７５】
実施の形態２に係る空気調和機１２−１も、実施の形態１に係る空気調和機と同様に、室内機３０、及び室外機４０により構成される。図２に示すように、室内機３０は、インターフェイス３２、コントローラ３３ａ、及びリモコン受信部３４、記憶部３５、及びタイマ３６を備える。室内機３０は、例えば、住居２４内の商用電源である交流電源３１から電力の供給を受ける。室外機４０は、コントローラ３３ｂ、ファン駆動回路４１、コンプレッサ駆動回路４２、ファン４３、及びコンプレッサ４４を備える。室外機４０は、室内機３０から電力供給を受ける。
【００７６】
２−１−３．サーバ装置の構成
次に、図１８を用いて、実施の形態２に係るサーバ装置２２の構成を説明する。図１８に示すように、実施の形態２に係るサーバ装置２２は、インターフェイス２２−１、制御部２２−２、及びデータ記憶部２２−３を備える。
【００７７】
インターフェイス（Ｉ／Ｆ）２２−１は、制御部２２−２の制御に従って、インターネット２０を介する、携帯端末１６及びルータ２６とサーバ装置２２との間のデータのやり取りを行う通信部である。
【００７８】
制御部２２−２は、このサーバ装置２２の全体の動作を制御する。制御部２２−２は、（後で説明する）カレンダ予約後の動作を実行するように、空気調和機１２−１などの家電機器を含む家電システムを制御する。具体的には、制御部２２−２は、携帯端末１６から、空気調和機１２−１の予約運転における運転開始時刻又は運転停止時刻を示す情報を受け、運転開始時刻又は運転停止時刻を示す設定信号を空気調和機１２−１に送信する。更に、制御部２２−２は、前記設定信号を最初に送信した後、前記設定信号が示す運転開始時刻又は運転停止時刻の所定時間前に、空気調和機１２−１に対して、所定時間後の運転の開始又は停止を指示する信号（予約信号）を送信する。
【００７９】
データ記憶部２２−３は、制御部２２−２の制御に従って、家電システムを実行するための管理プログラム、アプリケーションプログラム、及び必要なデータを記憶する。データ記憶部２２−３は、例えば、携帯端末１６から送信される、運転予約における運転開始時刻又は運転停止時刻を示す情報を記憶する。データ記憶部２２−３は、例えば、ＨＤＤ（Ｈａｒｄ  Ｄｉｓｃ  Ｄｒｉｖｅ）やＳＳＤ（Ｓｏｌｉｄ  Ｓｔａｔｅ  Ｄｒｉｖｅ）により構成される。
【００８０】
＜２−２．カレンダ予約動作＞
２−２−１．カレンダ予約動作の設定
実施の形態２に係る空気調和機１２−１〜１２−３は、実施の形態１に係る空気調和機と同様に、図１１〜図１５に示すカレンダ予約動作の設定を行うものである。
【００８１】
２−２−２．カレンダ予約後の動作フロー
次に、図１９を用いて、実施の形態２に係る家電システムにおける、カレンダ予約後の動作フローについて説明する。ここでは、携帯端末１６から空気調和機１２−１に対して遠隔で行われる運転予約について説明する。また、以下では、午前０時にて、携帯端末１６から、空気調和機１２−１の運転開始時刻が「８：００」に、運転停止時刻が「１０：００」に、夫々予約された例を取り挙げる。
【００８２】
まず、前述の「１−３−１．カレンダ予約動作の設定」で説明したように、携帯端末１６から、空気調和機１２−１の運転動作開始時刻及び運転動作停止時刻が指定されるカレンダ予約動作の設定が行われる（ステップＳ６１）。
【００８３】
続いて、カレンダ予約動作の設定内容が、携帯端末１６から通信経路を介して、サーバ装置２２に受付けられる。受付けられたカレンダ予約動作の設定内容は、サーバ装置２２内の制御部２２−２により、記憶部２２−３に格納される（ステップＳ６２）。
【００８４】
続いて、サーバ装置２２は、カレンダ予約動作の設定内容を、インターネット２０を介して空気調和機１２−１に通知する。通知を受けた空気調和機１２−１のコントローラ３３ａは、室内機３０の本体表示部を点灯させる（ステップＳ６３）。これにより、空気調和機１２−１が設置された住居２４内の者に、例えば、住宅２４の外から携帯端末１６によりカレンダ予約がされたことを知らせることができる。本例の場合、予約がされた午前０時から、本体表示部のタイマランプ等の点灯が開始する。
【００８５】
続いて、サーバ装置２２は、運転開始予約時刻の所定時間前に、運転開始の予約信号を、インターネット２０を介して空気調和機１２−１に通知する（ステップＳ６４）。本例では、運転開始予約時刻「８：００」の所定時間「３０分」前の時刻「７：３０」に、運転開始の予約信号を、受信部３２を介して空気調和機１２−１に通知する。
【００８６】
通知を受けたコントローラ３３ａは、受信した運転開始の予約信号を記憶部３５に格納する。記憶部３５への格納が完了すると、コントローラ３３ａは、応答信号をサーバ装置２２に返信する（ステップＳ６５）。
【００８７】
続いて、サーバ装置２２は、所定の時間間隔で定期的に、空気調和機１２−１からの応答信号が返信され受付が確認されるまで、空気調和機１２−１に問合わせを行う。サーバ装置２２が行う問合わせは、前述のステップＳ６４にて通知されたものと同様の内容であり、これが繰り返し行われる（ステップＳ６６）。本例では、サーバ装置２２は、所定の時間「１０分」間隔で定期的に、空気調和機１２−１に対して、前述のステップＳ６４と同様の予約信号を繰り返して送信して、問合わせを行う。
【００８８】
問合わせを受けたコントローラ３３ａは、タイマ３６の応答信号をサーバ装置２２に返信する。さらに、コントローラ３３ａは、問合せを受けた時点から所定時間の経過後の時刻に、空気調和機の運転を開始できるように、記憶部３５に記憶させた運転開始までの時間を更新する。すなわち、記憶部３５に記憶させた運転開始までの時間を、３０分後、２９分後・・・１５分後、というように更新する（ステップＳ６７）。例えば、コントローラ３３ａは、サーバ装置２２からの、運転開始時刻の３０分前の予約信号を、受信した時点から「１０分」経過している場合、２０分後に運転を開始するように、記憶部３５に記憶させた運転開始までの時間を更新する。
【００８９】
サーバ装置２２は、空気調和機１２−１のタイマ３６の時刻に基づき、予約が正しく設定されているか否かを判定する（ステップＳ６８）。例えば、サーバ装置２２は、空気調和機１２−１のタイマ３６の時刻が、前述のステップＳ６４の運転開始の予約信号を送信したときに設定される時刻から「１０分」経過後に設定される値と一致するか否かについて、確認を行う。
【００９０】
サーバ装置２２は、空気調和機１２−１のタイマ３６が正常でない場合、すなわち、予約動作が正しく設定されていない場合（ステップＳ６８でＮｏ）、予約が設定された携帯端末１６に報知信号を送信する。携帯端末１６は、サーバ装置２２から、空気調和機１２−１の運転開始の予約時刻が異常である旨の報知信号を受信する（ステップＳ６９）。これにより、ユーザは、空気調和機１２−１の運転開始の予約時刻が異常である旨を知ることができる。
【００９１】
空気調和機１２−１のコントローラ３３ａ、３３ｂは、タイマ３６の時刻に基づき、運転開始の予約時刻に達したと判断すると、運転開始を行う（ステップＳ７０）。本例では、コントローラ３３ａ、３３ｂは、タイマ３６から通知される時刻に基づき、運転開始の予約時刻「８：００」になったときに、前回設定された運転モードで、例えば「冷房」モードで運転開始を行う。
【００９２】
更に、以下の運転停止の動作フローは、前述の運転開始の動作フローと同様に行われる。すなわち、続いて、サーバ装置２２は、運転停止予約時刻の所定時間前に、運転停止の予約信号を、インターネット２０を介して空気調和機１２−１に通知する（ステップＳ７１）。本例では、運転停止の予約時刻「１０：００」の所定時間「３０分」前の時刻「９：３０」に、運転停止の予約信号を、受信部３２を介して空気調和機１２−１に通知する。
【００９３】
通知を受けたコントローラ３３ａは、受信した運転停止の予約信号を記憶部３５に格納する。記憶部３５への格納が完了すると、コントローラ３３ａは、応答信号をサーバ装置２２に返信する（ステップＳ７２）。
【００９４】
続いて、サーバ装置２２は、所定の時間間隔で定期的に、空気調和機１２−１からの応答信号が返信され受付が確認されるまで、空気調和機１２−１に問合わせを行う。サーバ装置２２が行う問合わせは、前述のステップＳ７１にて通知されたものと同様の内容であり、これが繰り返し行われる（ステップＳ７３）。本例では、サーバ装置２２は、所定の時間「１０分」間隔で定期的に、空気調和機１２−１に対して、前述のステップＳ７１と同様の予約信号を繰り返して送信して、問合わせを行う。
【００９５】
問合わせを受けたコントローラ３３ａは、タイマ３６の応答信号をサーバ装置２２に返信する。さらに、コントローラ３３ａは、問合せを受けた時点から所定時間の経過後の時刻に、空気調和機の運転を停止できるように、記憶部３５に記憶させた運転停止までの時間を更新する（ステップＳ７４）。例えば、コントローラ３３ａは、サーバ装置２２からの、運転停止時刻の３０分前の予約信号を、受信した時点から「１０分」経過している場合、２０分後に運転を停止するように、記憶部３５に記憶させた運転停止までの時間を更新する。
【００９６】
サーバ装置２２は、空気調和機１２−１のタイマ３６の時刻に基づき、予約が正しく設定されているか否かを判定する（ステップＳ７５）。例えば、サーバ装置２２は、空気調和機１２−１のタイマ３６の時刻が、前述のステップＳ７１の運転停止の予約信号を送信したときに設定される時刻から「１０分」経過後に設定される値と一致するか否かについて、確認を行う。
【００９７】
サーバ装置２２は、空気調和機１２−１のタイマ３６が正常でない場合、すなわち、予約動作が正しく設定されていない場合（ステップＳ７５でＮｏ）、予約が設定された携帯端末１６に報知信号を送信する。携帯端末１６は、サーバ装置２２から、空気調和機１２−１の運転停止の予約時刻が異常である旨の報知信号を受信する（ステップＳ７６）。これにより、ユーザは、空気調和機１２−１の運転停止の予約時刻が異常である旨を知ることができる。
【００９８】
空気調和機１２−１のコントローラ３３ａ、３３ｂは、タイマ３６の時刻に基づき、運転停止の予約時刻に達したと判断すると、前回設定された運転モード、例えば「冷房」モードで運転停止を行う（ステップＳ７７）。本例では、コントローラ３３ａ、３３ｂは、タイマ３６から通知される時刻に基づき、運転停止の予約時刻「１０：００」なったときに、運転停止を行う。
【００９９】
以上の図１９に示す動作フローの例について、図２０を用いて時系列で説明する。ここでは、前述と同様に、午前０時に携帯端末１６により、空気調和機１２−１の運転開始時刻が「８：００」に、運転停止時刻が「１０：００」に、夫々予約された場合を例に取り挙げる。
【０１００】
図２０に示すように、空気調和機１２−１は、午前０時に携帯端末１６により、カレンダ予約が設定されると、時刻「０：００」において、室内機３０の本体表示部のタイマランプを点灯させる（ステップＳ６３）。
【０１０１】
続いて、空気調和機１２−１は、サーバ装置２２から、運転開始予約時刻「８：００」の所定時間「３０分」前の時刻「７：３０」に、運転開始の予約信号が通知されること（ステップＳ６４）により、運転開始の予約が行われる。
【０１０２】
続いて、空気調和機１２−１は、サーバ装置２２から、所定の時間「１０分」おきの定期的に問合わせを受けることにより、運転開始の予約ができているか否かについて確認を受ける（ステップＳ６６）。
【０１０３】
続いて、空気調和機１２−１は、タイマ３６から通知される時刻に基づき、運転開始の予約がされた時刻「８：００」となると、前回設定された運転モード、例えば「冷房」モードで運転開始を行う（ステップＳ７０）。
【０１０４】
続いて、空気調和機１２−１は、サーバ装置２２から、運転停止の予約時刻「１０：００」の所定時間「３０分」前の時刻「９：３０」に、運転停止の予約信号を通知されること（ステップＳ７１）により、運転停止の予約が行われる。
【０１０５】
続いて、空気調和機１２−１は、サーバ装置２２から、所定の時間「１０分」おきの定期的な問合せを受けることにより、運転停止の予約ができているか否かについての確認を受ける（ステップＳ７３）。
【０１０６】
続いて、空気調和機１２−１は、タイマ３６から通知される時刻に基づき、運転停止の予約がされた時刻「１０：００」となると、運転停止を行う。
【０１０７】
なお、前述のように、本例では、運転開始及び運転停止の予約時刻前の所定時間を、３０分として、運転開始及び運転停止の予約信号を空気調和機１２−１に通知する場合を例に取り挙げて説明した。しかしながら、予約時刻前の所定時間は、３０分に限られず、必要に応じて夫々独立に変更可能としてもよい。
【０１０８】
＜２−３．作用効果＞
実施の形態２の家電機器、家電システム、及びサーバ装置によれば、下記の（１）の効果が得られる。
【０１０９】
（１）予約された設定時刻どおりに正確に運転開始及び運転停止できる。  
前述のように、実施の形態２に係る空気調和機（家電機器）１２−１は、設定された時刻にて運転の開始、停止を行う予約運転が可能な家電機器である。当該空気調和機は、受信器３２と、コントローラ（制御部）３３ａ、３３ｂと、記憶部３５とを備える。受信器３２は、ネットワーク２０を介して接続された所定のサーバ装置２２から、空気調和機１２−１の予約運転における運転開始の時刻又は運転停止の時刻を示す設定信号を受信する。コントローラ（制御部）３３ａ、３３ｂは、空気調和機１２−１の全体の動作を制御する。記憶部３５は、所定のデータを記憶する。
【０１１０】
更に、コントローラ３３ａ、３３ｂは、設定信号を最初に受信した（ステップＳ６３）後、設定信号が示す運転開始または運転停止の時刻の所定時間前に、前記所定時間後に運転を開始または停止することを指示する設定信号を受信する。そして、コントローラ３３ａ、３３ｂは、その設定信号の内容を記憶部３５に格納し（ステップＳ６５、Ｓ７２）、記憶部３５に格納された設定信号の内容に従い予約運転を実行する。
【０１１１】
前述の構成及び動作によれば、例えばサーバ装置２２が混雑等していても、サーバ装置２２は所定時間前から本体の空気調和機１２−１へ所定時間後に運転又は停止する予約信号を送信する（ステップＳ６４、ステップＳ７２）。よって、所定時間前に予約信号を受信した空気調和機１２−１は、サーバ装置２２が混雑していても、予約された設定時刻どおりに正確に運転開始及び運転停止できる。また、サーバ装置２２の混雑時における通信を回避することもできるので、サーバ装置２２の負担を軽減できる点でも有効である。
【０１１２】
更に、本例のように家電機器が空気調和機である場合、家電機器の特性上、サーバ装置２に繋がる複数の空気調和機において運転の開始及び停止する時刻が近接することが多い。本実施の形態２に係る家電システムは、そのような近接による通信の混雑を回避することができ、結果としてサーバ装置２２の負担軽減のメリットは大きい。
【０１１３】
［実施の形態３（本体付属のリモートコントローラと同様の動作の一例）］
図２１を用いて、実施の形態３に係る家電機器、家電システム及びサーバ装置について説明する。本実施の形態において、前述の実施の形態２と重複する部分の説明については省略する。
【０１１４】
実施の形態３においては、携帯端末１６により設定されるカレンダ予約が、空気調和機１２−１〜１２−３の本体付属のリモートコントローラにより設定されるカレンダ予約と同様のものである。
【０１１５】
但し、リモートコントローラによる場合、所定の時間（例えば、９０分）以内での複数の予約ができないように構成されている。つまり、実施の形態３は、予約と予約との間は所定の時間（例えば、９０分）以上を開けることが必要であるように構成されている。
【０１１６】
なお、携帯端末１６により予約する場合も、リモートコントローラによる場合と同様に、予約と予約との間は所定の時間（例えば、９０分）以上を開けることが必要であるように構成してもよい。
【０１１７】
実施の形態３に係る家電機器、家電システム及びサーバ装置によれば、前述の（１）と同様の効果が得られる。さらに、実施の形態３に係る家電機器、家電システム及びサーバ装置によれば、本体に付属するリモートコントローラにより、携帯端末１６によるカレンダ予約を行うことができる。
【産業上の利用可能性】
【０１１８】
本開示は、空気調和機等の家電機器、及び家電機器を制御する家電システムに適用可能である。
【符号の説明】
【０１１９】
１０・・・家電システム、１２−１〜１２−３・・・空気調和機（家電機器）、１３・・・炊飯器（家電機器）、１４・・・無線アダプタ（通信装置）、１６・・・携帯端末、１８・・・ゲートウェイ装置（中継装置）、２０・・・インターネット、２２・・・サーバ装置、２６・・・ルータ装置、３０・・・室内機、３３ａ、３３ｂ・・・コントローラ（制御部）、３２・・・インターフェース（受信部）、３４・・・リモコン受信部（受信部）、３５・・・記憶部、３６・・・タイマ、４０・・・室外機。
【図１】
2014024444.tif 000003
【図２】
2014024444.tif 000004
【図３】
2014024444.tif 000005
【図４】
2014024444.tif 000006
【図５】
2014024444.tif 000007
【図６】
2014024444.tif 000008
【図７】
2014024444.tif 000009
【図８】
2014024444.tif 000010
【図９】
2014024444.tif 000011
【図１０】
2014024444.tif 000012
【図１１】
2014024444.tif 000013
【図１２】
2014024444.tif 000014
【図１３】
2014024444.tif 000015
【図１４】
2014024444.tif 000016
【図１５】
2014024444.tif 000017
【図１６】
2014024444.tif 000018
【図１７】
2014024444.tif 000019
【図１８】
2014024444.tif 000020
【図１９】
2014024444.tif 000021
【図２０】
2014024444.tif 000022
【図２１】
2014024444.tif 000023
【国際調査報告】
2014024444.tif 000024
2014024444.tif 000025
2014024444.tif 000026
2014024444.tif 000027